(57)【要約】【課題】複数のユーザによって利用されるビデオ録画再生装置において、個々のユーザが録画した録画番組を保護するのと同時に、ユーザ間における録画番組の共有、共有録画番組の削除、ダビング、編集を実現すること。【解決手段】個々のユーザに対して録画番組リスト２１７と録画予約リスト２１８を与えることによって、非共有録画番組は保護され、共有録画番組は他のユーザが操作可能となる。【選択図】  図２
2005020356.tif 000002
【特許請求の範囲】
【請求項１】
ユーザの認証を行うユーザ認証手段と、
番組を録画するとともに、番組の録画操作を行ったユーザのユーザＩＤを録画操作ユーザＩＤとして登録する録画処理手段と、
前記番組の操作を許可されたユーザのユーザＩＤを共有ユーザＩＤとして登録する共有処理手段と、
前記番組と、前記録画操作ユーザＩＤと、前記共有ユーザＩＤとを関連付けて録画番組リスト登録情報として保持する録画番組リスト記録手段と、
ユーザから番組リストの表示要求を受けたとき、前記録画操作ユーザＩＤもしくは前記共有ユーザＩＤが、前記表示要求を行ったユーザのユーザＩＤと一致する番組の番組名を抽出して番組リストを生成し、前記番組リストを表示する録画番組リスト表示処理手段とを備えたことを特徴とするビデオ録画再生装置。
【請求項２】
共有処理手段は、番組の共有処理を行うユーザのユーザＩＤが、前記番組の録画操作ユーザＩＤと一致するときのみ共有ユーザＩＤの登録を行うことを特徴とする請求項１記載のビデオ録画再生装置。
【請求項３】
番組を削除する削除処理手段をさらに備え、
前記削除処理手段は、番組の削除操作を行うユーザのユーザＩＤが、前記番組の録画操作ユーザＩＤと一致し、かつ前記番組に共有ユーザＩＤが登録されていないときにのみ、前記番組の削除処理を行うことを特徴とする請求項１記載のビデオ録画再生装置。
【請求項４】
削除処理手段は、番組の共有ユーザからアクセスがなく所定の期間経過したとき、前記番組の共有ユーザＩＤを削除することを特徴とする請求項３記載のビデオ録画再生装置。
【請求項５】
ユーザの認証を行うステップと、
番組を録画するとともに、番組の録画操作を行ったユーザのユーザＩＤを録画操作ユーザＩＤとして登録する録画処理ステップと、
前記番組の操作を許可されたユーザのユーザＩＤを共有ユーザＩＤとして登録する共有処理ステップと、
前記番組と、前記録画操作ユーザＩＤと、前記共有ユーザＩＤとを関連付けて録画番組リスト登録情報として保持する録画番組リスト記録ステップと、
ユーザから番組リストの表示要求を受けたとき、前記録画操作ユーザＩＤもしくは前記共有ユーザＩＤが、前記表示要求を行ったユーザのユーザＩＤと一致する番組の番組名を抽出して番組リストを生成し、前記番組リストを表示する録画番組リスト表示処理ステップとを有することを特徴とするビデオ録画再生方法。
【請求項６】
共有処理ステップは、番組の共有処理を行うユーザのユーザＩＤが、前記番組の録画操作ユーザＩＤと一致するときのみ共有ユーザＩＤの登録を行うことを特徴とする請求項５記載のビデオ録画再生方法。
【請求項７】
番組を削除する削除処理ステップをさらに有し、
前記削除処理ステップは、番組の削除操作を行うユーザのユーザＩＤが、前記番組の録画操作ユーザＩＤと一致し、かつ前記番組に共有ユーザＩＤが登録されていないときにのみ、前記番組の削除処理を行うことを特徴とする請求項５記載のビデオ録画再生方法。
【請求項８】
削除処理ステップは、番組の共有ユーザからアクセスがなく所定の期間経過したとき、前記番組の共有ユーザＩＤを削除することを特徴とする請求項７記載のビデオ録画再生方法。
【発明の詳細な説明】
【０００１】
【発明の属する技術分野】
本発明はテレビ放送を記録媒体に録画番組として記録することができるビデオ録画再生装置に関するものであって、特に複数のユーザによって利用されるビデオ録画再生装置に関するものである。
【０００２】
【従来の技術】
従来の複数のユーザによって利用されるビデオ録画再生装置としては、ユーザに暗証番号を入力させ、個々の暗証番号に対して、暗証番号入力時に表示される録画番組リスト及び録画予約リストをそれぞれ作成し、暗証番号非入力時にそれらを閲覧することを不可能とすることによって、各ユーザが録画した録画番組を他のユーザから保護すると同時に、各ユーザのプライバシーを保護するものがあった（例えば、特許文献１参照）。
【０００３】
【特許文献１】
特開２００２−２３２８２０号公報
【０００４】
【発明が解決しようとする課題】
しかしながら、前記従来の構成では、あるユーザが暗証番号入力時に録画した録画番組について他のユーザは録画されたことを知ることができず、また、同一のビデオ録画再生装置を利用するユーザ間で録画番組を共有することができないので、他のユーザが録画した録画番組を再生、削除、編集、ダビングすることは不可能であるという課題があった。
【０００５】
本発明は、前記従来の課題を解決するもので、ユーザの操作によってそのユーザが録画した録画番組を他のユーザと共有することを可能とし、共有を許可されたユーザがその共有録画番組を再生、削除、ダビング、編集を行うことを可能としたビデオ録画再生装置を提供することを目的とする。
【０００６】
【課題を解決するための手段】
上記目的を達成するために、本発明のビデオ録画再生装置は、ユーザの認証を行うユーザ認証手段と、番組を録画するとともに、番組の録画操作を行ったユーザのユーザＩＤを録画操作ユーザＩＤとして登録する録画処理手段と、番組の操作を許可されたユーザのユーザＩＤを共有ユーザＩＤとして登録する共有処理手段と、番組と、録画操作ユーザＩＤと、共有ユーザＩＤとを関連付けて録画番組リスト登録情報として保持する録画番組リスト記録手段と、ユーザから番組リストの表示要求を受けたとき、録画操作ユーザＩＤもしくは共有ユーザＩＤが、表示要求を行ったユーザのユーザＩＤと一致する番組の番組名を抽出して番組リストを生成し、番組リストを表示する録画番組リスト表示処理手段とを備えている。
【０００７】
また本発明のビデオ録画再生装置は、共有処理手段は、番組の共有処理を行うユーザのユーザＩＤが、番組の録画操作ユーザＩＤと一致するときのみ共有ユーザＩＤの登録を行う。
【０００８】
また本発明のビデオ録画再生装置は、番組を削除する削除処理手段をさらに備え、削除処理手段は、番組の削除操作を行うユーザのユーザＩＤが、番組の録画操作ユーザＩＤと一致し、かつ番組に共有ユーザＩＤが登録されていないときにのみ、番組の削除処理を行う。
【０００９】
また本発明のビデオ録画再生装置は、削除処理手段は、番組の共有ユーザからアクセスがなく所定の期間経過したとき、番組の共有ユーザＩＤを削除する。
【００１０】
また本発明のビデオ録画再生方法は、ユーザの認証を行うステップと、番組を録画するとともに、番組の録画操作を行ったユーザのユーザＩＤを録画操作ユーザＩＤとして登録する録画処理ステップと、番組の操作を許可されたユーザのユーザＩＤを共有ユーザＩＤとして登録する共有処理ステップと、番組と、録画操作ユーザＩＤと、共有ユーザＩＤとを関連付けて録画番組リスト登録情報として保持する録画番組リスト記録ステップと、ユーザから番組リストの表示要求を受けたとき、録画操作ユーザＩＤもしくは共有ユーザＩＤが、表示要求を行ったユーザのユーザＩＤと一致する番組の番組名を抽出して番組リストを生成し、番組リストを表示する録画番組リスト表示処理ステップとを有している。
【００１１】
また本発明のビデオ録画再生方法は、共有処理ステップは、番組の共有処理を行うユーザのユーザＩＤが、番組の録画操作ユーザＩＤと一致するときのみ共有ユーザＩＤの登録を行う。
【００１２】
また本発明のビデオ録画再生方法は、番組を削除する削除処理ステップをさらに有し、削除処理ステップは、番組の削除操作を行うユーザのユーザＩＤが、番組の録画操作ユーザＩＤと一致し、かつ番組に共有ユーザＩＤが登録されていないときにのみ、番組の削除処理を行う。
【００１３】
また本発明のビデオ録画再生方法は、削除処理ステップは、番組の共有ユーザからアクセスがなく所定の期間経過したとき、番組の共有ユーザＩＤを削除する。
【００１４】
【発明の実施の形態】
以下本発明の実施の形態について、図面を参照しながら説明する。
【００１５】
図１は、本発明の実施の形態におけるビデオ録画再生装置の構成図である。図１に示すように、ビデオ録画再生装置１０１は、テレビチューナ１０２と、Ａ／Ｄコンバータ１０３と、ＭＰＥＧ−２エンコーダ１０４と、ＨＤＤ１０７と、ＤＶＤ−ＲＡＭドライブ１０８と、ＭＰＥＧ−２デコーダ１０５と、Ｄ／Ａコンバータ１０６と、ＣＰＵ１０９と、ＲＯＭ１１０と、ＲＡＭ１１１と、フラッシュメモリ１１５と、リモコン受信機１１２から構成され、リモコン１１３から送信される操作信号を受信し、外部に接続されたディスプレイ１１４に画像を表示する。
【００１６】
図２は、本実施の形態における処理の概要を示す図である。図１と同じ符号を有するものは同じ機能を有するので詳細な説明は省略する。２０１はユーザ認証を行うユーザ認証処理手段、２１２はユーザ情報を記録しておくユーザ情報記録部である。２１３は録画番組のリストをユーザごとに記録しておく録画番組リスト記録部、２０２は録画番組のリストの表示を行う録画番組リスト表示処理手段、２１７はユーザごとの録画番組リストである。２１５は録画予約された番組のリストをユーザごとに記録しておく録画予約リスト記録部、２０３は録画予約リストの表示を行う録画予約リスト表示処理手段、２１８はユーザごとの録画予約リストである。２０５は録画予約の設定を行う録画予約設定処理手段、２１６は録画予約情報記録部、２０６は録画予約情報２１６に基づいて録画予約を実行する録画予約実行処理手段、２０４は録画処理を行う録画処理手段である。２０７は録画番組を再生する再生処理手段、２０８はユーザ間で録画番組を共有するための処理を行う共有処理手段、２０９は録画番組を削除する削除処理手段、２１０は録画番組のダビング処理を行うダビング処理手段、２１１は録画番組の編集を行う編集処理手段である。
【００１７】
なおこれらの処理を図１に示すビデオ録画再生装置で実現する場合には、ＲＯＭ１１０に格納されたプログラムをＣＰＵ１０９により実行することで実現することができる。この場合、プログラムを実行するＣＰＵ１０９は、ユーザ認証処理手段２０１と、録画番組リスト表示処理手段２０２と、録画予約リスト表示処理手段２０３と、録画処理手段２０４と、録画予約設定処理手段２０５と、録画予約実行処理手段２０６と、再生処理手段２０７と、共有処理手段２０８、削除処理手段２０９と、ダビング処理手段２１０と、編集処理手段２１１として機能する。また、ユーザ情報記録部２１２と、録画番組リスト登録情報記録部２１３と、録画番組リスト管理情報記録部２１４と、録画予約リスト登録情報記録部２１５と、録画予約情報記録部２１６は、ＲＯＭ１１０またはＲＡＭ１１１を用いて実現される。録画番組リスト表示処理手段２０２は録画番組リスト登録情報記録部２１３に記録されている情報をもとに録画番組リスト２１７を作成し、録画予約リスト表示処理手段２０３は録画予約リスト登録情報記録部２１５に記録されている情報をもとに録画予約リスト２１８を作成する。
【００１８】
図３に示すように、リモコン１１３には、数字ボタン３０１と、矢印ボタン３０２と、決定ボタン３０３と、ユーザ認証ボタン３０４と、録画番組リスト表示ボタン３０５と、録画予約リスト表示ボタン３０６と、録画ボタン３０７と、再生ボタン３０８と、停止ボタン３０９が設けられている。ユーザはこれらのボタンを使ってビデオ録画再生装置に対する操作を入力し、リモコン１１３はそれを操作信号として出力する。ビデオ録画再生装置はリモコン受信機１１２を使って操作信号を受信し、ユーザからの操作入力を処理する。
【００１９】
ユーザ情報記録部２１２は個々のユーザを識別するユーザ情報を記録している。ユーザ情報は個々のユーザに固有のものである。ユーザ情報の構成を図４に示す。ユーザ情報は、ユーザＩＤ４０１とパスワード４０２とを含んでいる。ユーザ情報に含まれるユーザＩＤ４０１はユーザを識別する整数で、個々のユーザに対して固有の値を持つ。ユーザ認証処理手段２０１はこのユーザ情報を用いてユーザ認証処理を行い、認証されないユーザはビデオ録画再生装置を利用することができない。ユーザは事前にビデオ録画再生装置に自分のユーザ情報を登録しておく必要がある。
【００２０】
ユーザＩＤ４０１の値が０であるとき、そのユーザは存在しないことを示し、実際のユーザを識別する値としては用いられない。後述される他のＩＤに関しても同様である。
【００２１】
ユーザ認証処理について説明する。ユーザがビデオ録画再生装置の電源を入れるか、リモコン１１３に設けられたユーザ認証ボタン３０４を押すと、ユーザ認証処理手段２０１はユーザ認証画面をディスプレイ１１４に表示する。図５にユーザ認証画面の例を示す。ユーザ認証画面には、ユーザＩＤ入力フォームとパスワード入力フォームとが設けられている。ユーザはリモコン１１３を使ってユーザＩＤ４０１とパスワード４０２を入力する。ユーザによる入力が完了すると、ユーザ認証処理手段２０１はユーザ認証処理を開始する。図６にユーザ認証処理のフローチャートを示す。まず、ユーザ認証処理手段２０１はユーザによって入力されたユーザＩＤ４０１に一致するユーザＩＤ４０１を持ったユーザ情報がユーザ情報記録部２１１に記録されているかどうかを検索する（Ｓ１０１）。該当するユーザ情報が見つかった場合は次のステップ（Ｓ１０２）に移行し、見つからなかった場合はユーザ認証処理に失敗したとみなして終了する。ステップＳ１０２では、入力されたパスワードが該当するユーザ情報に含まれるパスワードと一致するかどうかを確認する。一致する場合はそのユーザを認証してユーザ認証処理を終了し、一致しない場合はユーザ認証処理に失敗したとみなして終了する。認証されたユーザは以後、ユーザＩＤ４０１によって識別される。
【００２２】
認証されたユーザには、そのユーザ専用の録画番組リスト２１７と録画予約リスト２１８が与えられる。録画番組リスト２１７には、ＨＤＤ１０７に記録されている録画番組の内、そのユーザが再生できるものに関する情報だけが表示され、録画予約リスト２１８にはそのユーザが設定した録画予約に関する情報だけが表示される。録画番組リスト２１７を作成するために必要な情報はフラッシュメモリ１１５内に設けられた録画番組リスト記録部２１３に記録されており、録画予約リスト２１８を作成するために必要な情報はフラッシュメモリ１１５内に設けられた録画予約リスト記録部２１５に記録されている。録画番組リスト記録部２１３は各ユーザに対してそのユーザ専用の領域が与えられる。録画予約リスト記録部２１５についても同様である。なお、録画番組リスト記録部２１３および録画予約リスト記録部２１５は、フラッシュメモリ１１５内に設けられているとして説明したが、これらの情報を保持できるものであればＲＯＭでもＲＡＭでも良く、例えばＨＤＤ１０７に設けられても良い。またＲＯＭ１１０とフラッシュメモリ１１５とは別構成としたが、一体として構成しても良い。
【００２３】
以下、本発明の実施の形態における、録画処理、再生処理について説明し、録画後の番組を取り扱う機能として、共有処理、削除処理、ダビング処理、編集処理について順に説明する。
【００２４】
まず録画処理について説明する。ユーザによって録画ボタン３０７が押されると、録画処理手段２０４は録画処理を開始する。図７に録画処理のフローチャートを示す。以後、録画操作を行ったユーザを録画操作ユーザと呼ぶ。まず、録画処理手段２０４は録画番組リスト登録情報を作成する。図８に録画番組リスト登録情報の構成を示す。録画操作ユーザのユーザＩＤを録画操作ユーザＩＤ８０１、録画操作が開始された時刻を録画操作時刻８０２、これからＨＤＤに記録する録画番組を識別する整数を録画番組ＩＤ８０５として録画番組リスト登録情報に書き込み、この録画番組リスト登録情報を録画操作ユーザの録画番組リスト記録部２１３に記録する（Ｓ２０１）。録画番組リスト登録情報にはこの他に共有操作ユーザＩＤ８０３と、最終アクセス時刻８０４、編集情報ＩＤ８０６が含まれるが、ここでは、共有操作ユーザＩＤには０を、最終アクセス時刻には録画操作時刻と同じ時刻を、編集情報ＩＤには０を書き込む。これらについては後述する。
【００２５】
さらに、図９に示す録画番組リスト管理情報を作成し、録画番組リスト登録情報に書き込んだ録画番組ＩＤ８０５と同じ値を録画番組ＩＤ９０１に書き込み、録画操作ユーザのユーザＩＤ４０１を録画番組所有ユーザＩＤリスト９０２の先頭に書き込んで、録画番組リスト管理情報記録部２１４に記録する（Ｓ２０２）。その後、録画処理手段２０４はテレビチューナ１０２が受信しているテレビチャンネルのアナログ映像音声信号をＡ／Ｄコンバータ１０３によってデジタル映像音声信号に変換し（Ｓ２０３）、そのデジタル映像音声信号をＭＰＥＧ−２エンコーダ１０４によってＭＰＥＧ−２形式の圧縮情報に変換する（Ｓ２０４）。
その圧縮情報を録画番組としてＨＤＤ１０７に記録する（Ｓ２０５）。この動作は録画操作ユーザによって停止ボタン３０９が押されるまで繰り返される（Ｓ２０６）。停止ボタン３０９が押されると、録画処理手段２０４は録画処理を終了する。
【００２６】
録画予約設定処理について説明する。ユーザによって録画予約リスト表示ボタン３０６が押されると、録画予約リスト表示処理手段２０３はそのユーザの録画予約リスト２１８を作成し、ディスプレイ１１４に録画予約リスト画面を表示する。図１０に録画予約リスト画面の例を示す。録画予約リスト２１８の各行には録画予約を開始する時刻、録画予約を終了する時刻、録画するテレビチャンネルが記載されている。ユーザがリモコン１１３を使って新規予約の行を選択して決定ボタンを押すと、録画予約設定画面がディスプレイに表示される。ユーザはこれを見ながらリモコン１１３を使って録画予約の開始時刻と、終了時刻、録画するテレビチャンネルを入力する。ユーザが録画予約設定画面上の各項目の入力を完了すると、録画予約設定処理手段２０５は予約録画設定処理を開始する。
【００２７】
録画予約設定処理のフローチャートを図１１に示す。以後、録画予約の操作を行ったユーザを録画予約ユーザと呼ぶ。まず、録画予約設定処理手段２０５は、録画予約情報を新たに作成する。図１２に録画予約情報の構成を示す。この録画予約を識別する整数を録画予約ＩＤ１２０１、録画予約ユーザによって入力された録画予約の開始時刻を開始時刻１２０２、終了時刻を終了時刻１２０３、録画するテレビチャンネルをテレビチャンネル１２０４として録画予約情報に書き込み、録画予約ユーザＩＤリスト１２０５の先頭に録画予約ユーザのユーザＩＤ４０１を書き込む（Ｓ３０１）。録画予約情報記録部２１６には、それまでに設定されたまだ実行されていない録画予約に関する録画予約情報が記録されている。録画予約設定処理手段２０５は、録画予約情報記録部２１６に記録されている録画予約情報の実行される時間が録画予約ユーザによって新たに設定された録画予約情報のものと重複しないかどうかを確認する（Ｓ３０２）。
【００２８】
重複するものがある場合は、録画予約ユーザに対してディスプレイ１１４にその録画予約が設定できないことを示すメッセージを表示し、その録画予約情報を破棄する（Ｓ３０５）。その後、録画予約設定処理を終了する。重複するものがない場合は、その録画予約情報を録画予約情報記録部２１６に記録し、次のステップ（Ｓ３０４）に移行する（Ｓ３０３）。ただし、重複するものがある場合においても、開始時刻１２０２と終了時刻１２０３がともに一致し、さらにテレビチャンネル１２０４が同じであるときは同一のテレビ番組に対しての録画予約情報であると解釈する。この場合は、録画予約処理情報を破棄し、録画予約情報記録部に記録されている録画予約情報の録画予約ユーザＩＤリスト１２０５に録画操作ユーザのユーザＩＤ４０１を追加してから、次のステップＳ３０４に移行する（Ｓ３０６、Ｓ３０７）。
【００２９】
ステップＳ３０４では、録画予約リスト登録情報を新たに作成する。図１３に録画予約リスト登録情報の構成を示す。録画予約ユーザのユーザＩＤを録画予約ユーザＩＤ１３０１、現在時刻を予約録画時刻１３０２、録画予約情報に書き込んだ録画予約ＩＤ１２０１と同じ値を録画予約ＩＤ１３０３として録画予約リスト登録情報に書き込む。この録画予約リスト登録情報を録画予約ユーザの録画予約リスト記録部２１５に記録して、録画予約設定処理を終了させる。
【００３０】
録画予約実行処理について説明する。録画予約実行処理手段２０６は、録画予約情報記録部２１６に記録されている録画予約情報を監視し、開始時刻１２０２が現在時刻と一致したものを検出したとき、録画予約実行処理を開始する。図１４に録画予約実行処理のフローチャートを示す。まず、該当録画予約情報を読み出し、録画予約ユーザＩＤリスト１２０５の先頭に記録されているユーザＩＤ４０１が示すユーザを録画予約ユーザとする（Ｓ４０１、Ｓ４０２）。録画予約ユーザの録画予約リスト記録部２１５から、該当録画予約情報に対応する録画予約リスト登録情報を読み出す（Ｓ４０３）。そして、録画番組リスト登録情報を新たに作成し、録画操作ユーザＩＤ８０１に録画予約ユーザＩＤを、録画操作時刻８０２に録画予約時刻１３０２を書き込み、この録画番組リスト登録情報を録画予約ユーザの録画番組リストに記録してから、読み出した録画予約リスト登録情報を録画予約リスト記録部２１５から削除する（Ｓ４０４、Ｓ４０５）。録画予約情報に含まれる録画予約ユーザＩＤリスト１２０５に複数のユーザＩＤ４０１が記録さている場合は、それらが示す全てのユーザに対して同様の処理を行う（Ｓ４０６、Ｓ４０９）。その後、録画処理を実行し、通常の録画と同様にしてＨＤＤ１０７に録画番組として記録する（Ｓ４０７）。録画処理が終了したら、録画予約情報記録部２１６から該当録画予約情報を削除し、録画予約実行処理を終了する（Ｓ４０８）。
【００３１】
録画予約リスト表示処理について説明する。ユーザによって録画予約リスト表示ボタン３０６が押されると、録画予約リスト表示処理手段２０３は録画予約リスト表示処理を開始する。図１５に録画予約リスト表示処理のフローチャートを示す。録画予約リスト表示処理手段は、そのユーザの録画予約リスト記録部２１５から録画予約リスト登録情報を全て読み出し、それらをもとにして録画予約リスト２１８を作成する（Ｓ５０１、Ｓ５０２）。それをディスプレイ１１４に表示して、録画予約リスト表示処理を終了する（Ｓ５０３）。
【００３２】
録画番組リスト表示処理について説明する。ユーザが録画番組リスト表示ボタン３０５を押すと、録画番組リスト表示処理手段２０２は録画番組リスト表示処理を開始する。図１６に録画番組リスト表示処理のフローチャートを示す。録画番組リスト表示処理手段はそのユーザの録画番組リスト記録部２１３から録画番組リスト登録情報を全て読み出し、それらをもとにして録画番組リスト２１７を作成する（Ｓ６０１、Ｓ６０２）。それをディスプレイ１１４に表示して、録画番組リスト表示処理を終了させる（Ｓ６０３）。
【００３３】
録画番組リストの各行には録画番組のタイトルと、その録画番組の記録がされた日時、録画操作を行ったユーザに対応するユーザ名が表示されている。図１７に録画番組リスト画面の例を示す。ユーザはリモコン１１３を使って再生したい録画番組を選択し、再生ボタンが押すことによって再生の開始を指示する。再生ボタンが押されると、再生処理手段２０７は再生処理を開始する。
【００３４】
次に再生処理について説明する。図１８に再生処理のフローチャートを示す。
まず、再生処理手段は、再生処理を実行したユーザの録画番組リスト記録部２１３に記録されている、該当録画番組に対応する録画番組リスト登録情報の最終アクセス時刻８０４に現在時刻を記録する（Ｓ７０１）。その後、ＭＰＥＧ−２形式の圧縮情報として記録された該当録画番組をＨＤＤ１０７から読み出して、ＭＰＥＧ−２デコーダ１０５を用いてその圧縮情報をデジタル映像音声信号へと伸張する（Ｓ７０２）。Ｄ／Ａコンバータ１０６を用いてそのデジタル映像音声信号をアナログ信号へと変換し（Ｓ７０３）、そのアナログ映像音声信号を描画してディスプレイ１１４に表示する（Ｓ７０４）。ステップＳ７０１からステップＳ７０４までの処理をユーザによって停止ボタン３０９が押されるか、該当録画番組を最後まで再生するまで繰り返す（Ｓ７０５、Ｓ７０６）。これら条件のどちらか一方が満たされたとき、再生処理手段は再生処理を終了する。
【００３５】
録画番組リスト２１７には現在認証されているユーザの録画番組リスト記録部２１３に記録されている情報しか表示されないので、原則的にユーザは他のユーザが録画した録画番組がＨＤＤ１０７に記録されていたとしても、その存在を知ることができない。逆に、他のユーザから自分が録画した録画番組の存在を知られることはないので、録画番組に関してユーザのプレイバシーは保護される。また、勝手に再生されたり、削除されたりすることを防ぐことができる。
【００３６】
しかし、これだけでは、保護を望まない録画番組、例えば、ある録画番組を他のユーザにも視聴してもらいたいときなどは不便である。そこで、本発明では、ユーザが録画した録画番組を他のユーザと共有できる仕組みを提供する。
【００３７】
共有処理について説明する。ユーザがリモコン１１３を使って録画番組リスト２１７から他のユーザと共有したい録画番組を選択し、決定ボタン３０３を押すと、ディスプレイに図１９に示すメニューが表示される。メニューの項目の中から共有１９０１を選択すると、ディスプレイ１１４に該当録画番組の共有を許可したいユーザを尋ねるメッセージが表示される。ユーザは自分以外のユーザの中から何人かを選択し、決定ボタン３０３を押す。ここで決定ボタン３０３が押されると、共有処理手段２０８は共有処理を開始する。図２０に共有処理のフローチャートを示す。以後、共有処理を実行したユーザを共有操作ユーザ、共有が設定された録画番組を共有録画番組と呼ぶことにする。
【００３８】
まず、共有処理手段２０８は共有操作ユーザの録画番組リスト記録部２１３から該当録画番組に対応する録画番組リスト登録情報を読み出す（Ｓ８０１）。その録画番組リスト登録情報に含まれる録画操作ユーザＩＤ８０１が共有操作ユーザのユーザＩＤ４０１と一致するかどうか確認する（Ｓ８０２）。一致しない場合は、共有操作ユーザは該当番組の録画操作を行ったユーザではないと判断し、共有処理を終了する。こうすることによって、録画操作を行ったユーザだけが共有操作を行えるようになり、他のユーザが勝手に共有録画番組に設定してしまうことを不可能にする。一致する場合は録画番組リスト登録情報の共有操作ユーザＩＤ８０３に共有操作ユーザのユーザＩＤ４０１を、最終アクセス時刻８０４に現在時刻を書き込んで、共有操作ユーザの録画番組リスト記録部２１３に上書き記録する（Ｓ８０３、Ｓ８０４）。この録画番組リスト登録情報を複製して、該当録画番組の共有を許可する全てのユーザの録画番組リスト記録部２１３にも記録する（Ｓ８０５）。さらに、該当録画番組に対応する録画番組リスト管理情報に含まれる録画番組所有ユーザＩＤリスト９０２に、共有を許可する全てのユーザのユーザＩＤ４０１（共有ユーザＩＤ）を追加して、共有処理を終了する（Ｓ８０６）。
【００３９】
共有録画番組となった録画番組は、対応する録画番組リスト登録情報が録画操作ユーザの録画番組リスト記録部２１３だけでなく、共有を許されたユーザの録画番組リスト記録部２１３にも記録されているので、録画番組リスト表示処理２０２によってそれらのユーザの録画番組リスト上にも表示される。ユーザは共有録画番組を非共有録画番組と同様に操作することができ、再生処理２０７は同様に再生することができる。
【００４０】
録画番組リスト登録情報に含まれる共有操作ユーザＩＤ８０３が０である場合、対応する録画番組は非共有録画番組であり、０でない場合、共有録画番組である。以後、共有録画番組であるかどうかの判定は共有操作ユーザＩＤ８０３を用いる。
【００４１】
非共有録画番組については、録画操作ユーザの録画番組リスト２１７にしか表示されないので、他のユーザは非共有録画番組を削除することはできないし、削除について考える必要もない。共有録画番組については、共有を許されたユーザ全ての録画番組リスト２１７に表示されるので、共有を許されたユーザが削除できるようにしなければならない。しかし、共有する全てのユーザが自由に共有録画番組を削除できてしまうようにすると、共有録画番組を再生しようとしたら、既に他のユーザによってＨＤＤ１０７から削除されてしまっているので、再生できないという状況もあり得る。このような状況を防がなければならない。また、編集やダビングについても同様のことが言える。
【００４２】
本発明における削除処理について説明する。ユーザは録画番組リスト２１７の中から削除したい録画番組を選択し、メニューの中から削除１９０２を選択して決定ボタン３０３を押すと、削除処理手段２０９は削除処理を開始する。図２１に削除処理のフローチャートを図示する。以後、削除操作を行ったユーザを削除操作ユーザと呼ぶ。
【００４３】
まず、削除操作ユーザの録画番組リスト記録部２１３から録画番組リスト登録情報を削除する（Ｓ９０１）。その後、削除処理手段は該当録画番組に対応する録画番組リスト管理情報に含まれる録画番組所有ユーザＩＤリスト９０２から削除操作ユーザのユーザＩＤ４０１を削除し、録画番組所有ユーザＩＤリスト９０２に他のユーザＩＤ４０１が記録されていないかどうか確認する（Ｓ９０２、Ｓ９０３）。他のユーザＩＤ４０１が記録されていない場合だけ、ＨＤＤ１０７から該当録画番組を、録画番組リスト管理情報記録部２１４から該当録画番組リスト管理情報を削除する（Ｓ９０４、Ｓ９０５）。その後、削除処理を終了する。
こうすることによって、録画番組は全てのユーザの録画番組リスト２１７から削除されてから初めてＨＤＤ１０７から削除されることになる。
【００４４】
他のユーザによって共有を許可された録画番組が、ユーザにとって関心がないものであった場合、そのユーザはその共有録画番組の削除処理を実行することが面倒だと感じ、その共有録画番組を削除せずに放置してしまうことが考えられる。このような状況では、ユーザの録画番組リスト２１７は煩雑になってしまうし、そのユーザが削除処理を実行しないために該当録画番組はいつまでもＨＤＤ１０７から削除されない。
【００４５】
このような状況を防ぐために、削除処理手段２０９は、ユーザの録画番組リスト２１７から予め定められた期間、ユーザによって、再生や、ダビング、編集などの操作が行われていない録画番組を検索し、見つかった場合は、該当録画番組はそのユーザにとって関心がないものであるとみなして、そのユーザの録画番組リスト記録部２１３から該当録画番組に対応する録画番組リスト登録情報を削除する。このとき、録画番組リスト登録情報に含まれる最終アクセス時刻８０４が該当録画番組を見つけ出すために用いられる。
【００４６】
ダビング処理について説明する。ダビングの方式には、ダビング元の録画番組をダビング後に削除する移動と、削除しない複製の２種類がある。さらに、ダビング先、ダビング元となり得る記録装置にはＨＤＤ１０７とＤＶＤ−ＲＡＭドライブ１０８がある。これらはユーザの操作によって指定される。また、録画番組の中には複製が禁止されたものもある。ダビング元の録画番組が複製禁止である場合は移動しか実行することができない。ダビング処理では以上のことを考慮している。
【００４７】
ユーザは録画番組リスト２１７の中からダビングしたい録画番組を選択し、メニューの中からダビング１９０３を選択して決定ボタン３０３を押すと、ダビング処理手段２１０はダビング処理を開始する。図２２に該当録画番組が複製禁止である場合におけるダビング処理のフローチャートを示し、図２３に該当録画番組が複製禁止でない場合におけるダビング処理のフローチャートを示す。以後、ダビング操作を行ったユーザをダビング操作ユーザと呼ぶ。
【００４８】
該当録画番組が複製禁止である場合は、まず、ダビング処理手段２１０はダビング操作ユーザの録画番組リスト記録部２１３から該当録画番組に対応する録画番組リスト登録情報を読み出し、その録画番組リスト登録情報に含まれる録画操作ユーザＩＤ８０１とダビング操作ユーザのユーザＩＤ４０１が一致するかどうかを確認する。一致しない場合はダビング処理を終了させ、一致する場合は、録画番組リスト管理情報記録部２１４から該当録画番組に対応する録画番組管理情報を読み出す。さらに、この録画番組リスト管理情報に含まれる録画番組所有ユーザＩＤリスト９０２の先頭に記録されているユーザＩＤ４０１が示すユーザの録画番組リスト記録部２１３から、該当録画番組に対応する録画番組リスト登録情報を読み出し、そのユーザがダビング操作ユーザよりも早く該当録画番組の録画操作を行ったかどうか確認する（Ｓ１００１）。早く行っていた場合は録画番組ダビング処理を終了する。これらの処理を録画番組所有ユーザＩＤリスト９０２に記録されている全てのユーザＩＤ４０１に対して行うことによって、最も早く録画操作を行ったユーザだけが複製禁止の録画番組をダビングすることが可能となる。ダビング操作ユーザが最も早く録画操作を行ったユーザである場合は、該当録画番組をダビング元の記録装置から読み出して、ダビング先の記録装置に記録する。記録が終了したら、ダビング元の記録装置から該当録画番組から削除する（Ｓ１００２）。ここで、ダビング元がＤＶＤ−ＲＡＭドライブ１０８で、ダビング先がＨＤＤ１０７である場合、該当録画番組をＨＤＤ１０７に記録すると共に、録画番組リスト登録情報をダビング操作ユーザの録画番組リスト記録部１０３に、録画番組リスト管理情報を録画番組リスト管理情報記録部２１４に記録しなければならない（Ｓ１００３、Ｓ１００４、Ｓ１００５）。新たに録画番組リスト登録情報を作成し、録画操作ユーザＩＤ８０１にダビング操作ユーザのユーザＩＤ４０１を、共有操作ユーザＩＤ８０３に０を、録画操作時刻と最終アクセス時刻８０４に現在時刻を、録画番組ＩＤ８０５にＨＤＤ１０７にダビングした録画番組を識別する整数を書き込み、ダビング操作ユーザの録画番組リスト記録部２１３に記録する。さらに、新たに録画番組リスト管理情報を作成し、録画番組リスト登録情報の録画番組ＩＤ８０５に書き込んだのと同じ値を録画番組ＩＤ９０１に、録画番組所有ユーザＩＤリスト９０２の先頭にダビング操作ユーザのユーザＩＤ４０１を書き込み、録画番組リスト管理情報記録部２１４に記録する。その後、ダビング処理を終了する。ダビング元がＨＤＤ１０７で、ダビング先がＤＶＤ−ＲＡＭドライブ１０８である場合は、該当録画番組に対応する録画番組リスト管理情報に含まれる録画番組所有ユーザＩＤリスト９０２にユーザＩＤ４０１が記録されている全てのユーザの録画番組リスト記録部２１３から該当録画番組に対応する録画番組リスト登録情報を削除し、録画番組リスト管理情報記録部２１４から該当録画番組に対応する録画番組リスト管理情報を削除する（Ｓ１００６、Ｓ１００７）。その後、ダビング処理を終了する。
【００４９】
次に、該当録画番組が複製禁止ではない場合における録画番組ダビングに処理について説明する。この場合、録画番組ダビング処理手段は該当録画番組をダビング元の記録装置から読み出して、ダビング先の記録媒体に記録する（Ｓ１１０１）。その後は、ダビング先の記録装置がＨＤＤ１０７であるかＤＶＤ−ＲＡＭドライブ１０８であるかで、処理の手順が変わる（Ｓ１１０２）。
【００５０】
ダビング先の記録装置がＨＤＤ１０７である場合の録画番組ダビング処理について説明する。この場合、新たに録画番組リスト登録情報を作成し、録画操作ユーザＩＤ８０１にダビング操作ユーザのユーザＩＤ４０１を、録画操作時刻８０２と最終アクセス時刻８０４に現在時刻を、共有操作ユーザＩＤ８０３に０を、録画番組ＩＤ８０５にＨＤＤ１０７にダビングした録画番組を識別する整数を書き込み、ダビング操作ユーザの録画番組リスト記録部２１３に記録する（Ｓ１１０３）。さらに、新たに録画番組リスト管理情報を作成し、録画番組ＩＤ９０１に録画番組リスト登録情報の録画番組ＩＤ８０５に書き込んだのと同じ値を、録画番組所有ユーザＩＤリスト９０２の先頭にダビング操作ユーザのユーザＩＤ４０１を書き込み、録画番組リスト管理情報記録部２１４に記録する（Ｓ１１０４）。ダビングの方式が複製であるかどうかを確認し、複製である場合だけ、ダビング処理手段２１０はダビング元となった該当録画番組をＤＶＤ−ＲＡＭドライブ１０８から削除する（Ｓ１１０５、Ｓ１１０８）。そして、その後、ダビング処理を終了する。
【００５１】
ダビング先の記録装置がＤＶＤ−ＲＡＭドライブ１０８である場合のダビング処理について説明する。この場合、ダビングの方式が移動であるかどうかを確認する（Ｓ１１０６）。移動である場合だけ、ダビング元となった該当録画番組をＨＤＤ１０７から削除しなければならない。このとき、該当録画番組の削除は削除処理手段２０９によって通常の録画番組の削除処理と同様に行われる（Ｓ１１０７）。その後、ダビング処理を終了する。
【００５２】
ダビング先がＤＶＤ−ＲＡＭドライブ１０８で、かつダビング方式が複製である場合は、ＨＤＤ１０７からＤＶＤ−ＲＡＭドライブ１０８への複製となる。このとき、ダビング処理手段２１０は何もせずにそのままダビング処理を終了する。
【００５３】
録画番組の編集について説明する。共有録画番組をユーザが自由に編集できるようにしてしまうと、あるユーザが共有録画番組を再生してみたら、他のユーザによって編集されてしまっていて、内容が全く違うものになっていたということもあり得る。このようなことを防ぐために、本発明の編集処理では共有録画番組を編集する際にはＨＤＤ１０７に記録された録画番組を直接編集せずに、ユーザの編集操作の内容を編集情報としてＨＤＤ１０７に記録する。
【００５４】
本発明における編集処理について説明する。録画番組リスト２１７の中から編集したい録画番組を選択し、メニューの中から編集１９０４を選択して決定ボタン３０３を押すと、編集処理手段２１１は編集処理を開始する。図２４に編集処理のフローチャートを示す。以後、編集操作を行ったユーザを編集操作ユーザと呼ぶ。
【００５５】
まず、録画番組リスト管理情報記録部２１４から該当録画番組に対応する録画番組リスト管理情報を読み出し、録画番組所有ユーザＩＤリスト９０２に編集操作ユーザ以外のユーザＩＤ４０１が記録されていないかどうかを確認する（Ｓ１２０１、Ｓ１２０２）。記録されていない場合は、編集操作ユーザの操作に従って該当録画番組を編集して編集処理を終了する（Ｓ１２０５）。記録されている場合は、ＨＤＤ１０７に記録された該当録画番組を直接編集せずに編集情報を作成し、ユーザが該当録画番組に対して行った編集操作の内容を書き込んで、ＨＤＤ１０７に記録する（Ｓ１２０３）。その後、編集操作ユーザの録画番組リスト記録部２１３に記録されている、該当録画番組に対応する録画番組リスト登録情報を読み出す。編集情報ＩＤ８０６にその編集情報を識別する整数を書き込み、その録画番組リスト登録情報を編集操作ユーザの録画番組リスト記録部２１３に上書き記録してから、編集処理を終了する（Ｓ１２０４）。
【００５６】
再生処理手段２０７が録画番組を再生する際に、該当録画番組に対応する録画番組リスト登録情報に含まれる編集情報ＩＤ８０６が０ではない場合、編集情報ＩＤ８０６が示す編集情報に記録された編集内容に沿う形で該当録画番組を再生する。ダビング処理手段２１０がダビングする際においても同様にする。削除処理手段２０９は録画番組リスト登録情報を削除する際に、編集情報ＩＤ８０６が示す編集情報も同時にＨＤＤ１０７から削除する。
【００５７】
【発明の効果】
以上のように、本発明のビデオ録画再生装置によれば、複数のユーザが１台のビデオ録画装置を利用する環境で、個々のユーザの録画番組を保護すると共に、録画番組を複製することなく、ユーザ間で録画番組を共有し、再生、削除、ダビング、編集を行うことができる。
【図面の簡単な説明】
【図１】本発明の実施の形態におけるビデオ録画再生装置の構成図
【図２】ビデオ録画再生装置のソフトウェアの構成図
【図３】リモコンの模式図
【図４】ユーザ情報の構成図
【図５】ユーザ認証画面を示す図
【図６】ユーザ認証処理のフローチャート
【図７】録画処理のフローチャート
【図８】録画番組リスト登録情報の構成図
【図９】録画番組リスト管理情報の構成図
【図１０】録画予約リスト画面を示す図
【図１１】録画予約設定処理のフローチャート
【図１２】録画予約情報の構成図
【図１３】録画予約リスト登録情報の構成図
【図１４】録画予約実行処理のフローチャート
【図１５】録画予約リスト表示処理のフローチャート
【図１６】録画番組リスト表示処理のフローチャート
【図１７】録画番組リスト画面を示す図
【図１８】再生処理のフローチャート
【図１９】メニューを示す図
【図２０】共有処理のフローチャート
【図２１】削除処理のフローチャート
【図２２】録画番組が複製禁止である場合におけるダビング処理のフローチャート
【図２３】録画番組が複製禁止でない場合におけるダビング処理のフローチャート
【図２４】編集処理のフローチャート
【符号の説明】
１０１  ビデオ録画再生装置
１０２  テレビチューナ
１０３  Ａ／Ｄコンバータ
１０４  ＭＰＥＧ−２エンコーダ
１０５  ＭＰＥＧ−２デコーダ
１０６  Ｄ／Ａコンバータ
１０７  ＨＤＤ
１０８  ＤＶＤ−ＲＡＭドライブ
１０９  ＣＰＵ
１１０  ＲＯＭ
１１１  ＲＡＭ
１１２  リモコン受信機
１１３  リモコン
１１４  ディスプレイ
１１５  フラッシュメモリ
２０１  ユーザ認証処理手段
２０２  録画番組リスト表示処理手段
２０３  録画予約リスト表示処理手段
２０４  録画処理手段
２０５  録画予約設定処理段
２０６  録画予約実行処理手段
２０７  再生処理手段
２０８  共有処理手段
２０９  削除処理手段
２１０  ダビング処理手段
２１１  編集処理手段
２１２  ユーザ情報記録部
２１３  録画番組リスト記録部
２１４  録画番組リスト管理情報記録部
２１５  録画予約リスト記録部
２１６  録画予約情報記録部
２１７  録画番組リスト
２１８  録画予約リスト
３０１  数字ボタン
３０２  矢印ボタン
３０３  決定ボタン
３０４  ユーザ認証ボタン
３０５  録画番組リスト表示ボタン
３０６  録画予約リスト表示ボタン
３０７  録画ボタン
３０８  再生ボタン
３０９  停止ボタン
４０１  ユーザＩＤ
４０２  パスワード
８０１  録画操作ユーザＩＤ
８０２  録画操作時刻
８０３  共有操作ユーザＩＤ
８０４  最終アクセス時刻
８０５  録画番組ＩＤ
８０６  編集情報ＩＤ
９０１  録画番組ＩＤ
９０２  録画番組所有ユーザＩＤリスト
１２０１  録画予約ＩＤ
１２０２  開始時刻
１２０３  終了時刻
１２０４  テレビチャンネル
１２０５  録画予約ユーザＩＤリスト
１３０１  録画予約ユーザＩＤ
１３０２  録画予約時刻
１３０３  録画予約ＩＤ
１９０１  共有
１９０２  削除
１９０３  ダビング
１９０４  編集
【図１】
2005020356.tif 000003
【図２】
2005020356.tif 000004
【図３】
2005020356.tif 000005
【図４】
2005020356.tif 000006
【図５】
2005020356.tif 000007
【図６】
2005020356.tif 000008
【図７】
2005020356.tif 000009
【図８】
2005020356.tif 000010
【図９】
2005020356.tif 000011
【図１０】
2005020356.tif 000012
【図１１】
2005020356.tif 000013
【図１２】
2005020356.tif 000014
【図１３】
2005020356.tif 000015
【図１４】
2005020356.tif 000016
【図１５】
2005020356.tif 000017
【図１６】
2005020356.tif 000018
【図１７】
2005020356.tif 000019
【図１８】
2005020356.tif 000020
【図１９】
2005020356.tif 000021
【図２０】
2005020356.tif 000022
【図２１】
2005020356.tif 000023
【図２２】
2005020356.tif 000024
【図２３】
2005020356.tif 000025
【図２４】
2005020356.tif 000026